(57)【特許請求の範囲】
【請求項１】
被処理水に高分子凝集剤および無機凝集剤をそれぞれ注入して該被処理水に含まれる懸濁物質を沈殿分離するに際し、
前記被処理水に前記高分子凝集剤および無機凝集剤をそれぞれ注入する第１の工程と、
上記各凝集剤注入後の被処理水を所定の測定容器にサンプリングする第２の工程と、
上記所定の測定容器にサンプリングした被処理水を静置させ、静置開始から第１の時間経過後における前記被処理水の第１の濁度、およびその後の第２の時間経過後における前記被処理水の第２の濁度をそれぞれ計測する第３の工程と、
計測した前記第１の濁度が予め設定した第１の濁度目標値となるように前記高分子凝集剤の注入量を調整すると共に、前記第２の濁度が予め設定した第２の濁度目標値となるように前記無機凝集剤の注入量を調整する第４の工程と
を具備したことを特徴とする凝集剤の注入方法。
【請求項２】
前記第１の濁度は、懸濁物質の沈降速度の評価に用いるものであって、前記第２の濁度は、被処理水の清澄度の評価に用いるものである請求項１に記載の凝集剤の注入方法。
【請求項３】
被処理水に高分子凝集剤および無機凝集剤をそれぞれ注入して該被処理水に含まれる懸濁物質を沈殿分離するための凝集剤注入装置であって、
前記各凝集剤の注入後における前記被処理水をサンプリングするサンプリング手段と、
上記サンプリングした被処理水を貯留する測定容器と、
この測定容器に貯留した被処理水の静置時間を計測するタイマ手段と、
このタイマ手段により計測される前記被処理水の静置時間が第１の設定時間に達したとき、前記測定容器に貯留された被処理水の上部における濁度を第１の濁度値として測定すると共に、前記被処理水の静置時間がその後の第２の設定時間に達したとき、前記測定容器に貯留された被処理水の上部における濁度を第２の濁度値として測定する濁度測定手段と、
前記第１の濃度値が予め設定された第１濁度目標値となるように前記高分子凝集剤の注入量を調整すると共に、前記第２の濃度値が予め設定された第２濁度目標値となるように前記無機凝集剤の注入量を調整する制御手段と
を具備したことを特徴とする凝集剤注入装置。
【発明の詳細な説明】
【０００１】
【発明の属する技術分野】
本発明は、排水等の被処理水に凝集剤を注入して該被処理水に含まれる懸濁物質を沈殿分離する水処理設備に組み込んで上記凝集剤の注入量を最適化するに好適な凝集剤の注入方法および凝集剤注入装置に関する。
【０００２】
【関連する背景技術】
排水等の被処理水の浄化は、例えば塩化アルミニウムや硫酸アルミニウム、塩化第二鉄等の無機凝集剤、更にはポリアクリル酸系アニオンポリマやポリアクリルレート系カチオンポリマ等の高分子凝集剤を上記被処理水に注入し、該被処理水に含まれる重金属等の懸濁物質を固化して沈殿分離することによりなされる。この際、被処理水の流量や、その水質に応じて凝集剤の注入量を最適化することが必要である。
【０００３】
ちなみに凝集剤の注入量が不足する場合には、懸濁物質を十分に沈殿分離することができず、処理水の水質劣化（悪化）の要因となる。逆に凝集剤の注入量が過剰である場合には薬剤コストが嵩むと言う問題が生じる。
そこで従来においては、例えば特公平７−２９１０１号公報に開示されるように、処理水中に含まれる懸濁物質の量と処理水の流量とに着目し、その積算値として捉えられる懸濁負荷（ＳＳ負荷）に比例させて凝集剤の注入量を調整するようにしている。即ち、予めＳＳ負荷と凝集剤注入量との最適な関係式を求めておき、この関係式に従って凝集剤の注入量を制御するようにしている。このような凝集剤の注入量制御は、例えば水酸化金属のような単一種の懸濁物質を含む排水を浄化処理する場合に非常に有用である。
【０００４】
【発明が解決しようとする課題】
しかしながら有機系および無機系の懸濁物質が入り混じった複数の混合排水のような被処理水に対しては、上述した関係式だけでは対応することができないと言う問題がある。しかも被処理水の水質が変動するような場合、その都度、上記関係式を求め直す必要があり、その品質管理が大変な上、水質変動に対して速やかに追従させることができないと言う問題がある。
【０００５】
本発明はこのような事情を考慮してなされたもので、その目的は、被処理水の水質等に応じて必要最小限の、つまり適正な量の凝集剤を注入することができ、その浄化処理の安定化を図ることのできる凝集剤の注入方法を提供することにある。
また本発明は、被処理水の流量やその水質に応じた凝集剤の注入制御を行うことのできる簡易な構成の凝集剤注入装置を提供することを目的としている。
【０００６】
【課題を解決するための手段】
上述した目的を達成するべく本発明に係る凝集剤の注入方法は、被処理水に高分子凝集剤および無機凝集剤を注入して該被処理水に含まれる懸濁物質を沈殿分離するに際して、
前記被処理水に前記高分子凝集剤および無機凝集剤をそれぞれ注入（第１の工程）した後、これらの凝集剤注入後の被処理水を所定の測定容器にサンプリングし（第２の工程）、この測定容器にサンプリングした被処理水を静置させてその静置開始から第１の時間Ｔ１経過後における前記被処理水の第１の濁度Ｋ１、およびその後の第２の時間Ｔ２経過後における前記被処理水の第２の濁度Ｋ２をそれぞれ計測し（第３の工程）、上記前記第１の濁度Ｋ１が予め設定した第１の濁度目標値Ｍ１となるように前記高分子凝集剤の注入量を調整すると共に、前記第２の濁度Ｋ２が予め設定した第２の濁度目標値Ｍ２となるように前記無機凝集剤の注入量を調整する（第４の工程）ことを特徴としている。
【０００８】
即ち、本発明に係る凝集剤の注入方法は、凝集剤の注入後に静置処理した被処理水の濁度Ｋ１から該凝集剤により凝集した懸濁物質の沈降速度を評価して、該被処理水に対する高分子凝集剤の最適注入量を求め、この最適注入量に従って前記被処理水に注入する高分子凝集剤の注入をフィードフォワード的に制御し、また凝集剤の注入後に静置処理した被処理水の濁度Ｋ２から被処理水の清澄度を評価して該被処理水に対する無機凝集剤の最適注入量を求め、この最適注入量に従って前記被処理水に注入する無機凝集剤の注入をフィードフォワード的に制御することを特徴としている。
【０００９】
また本発明に係る凝集剤注入装置は、被処理水に凝集剤を注入して該被処理水に含まれる懸濁物質を沈殿分離するためのものであって、
前記凝集剤の注入後における前記被処理水をサンプリングして測定容器内に貯留するサンプリング手段と、この測定容器に貯留した被処理水の静置時間を計測するタイマ手段と、このタイマ手段により計測される前記被処理水の静置時間が所定の設定時間に達したとき、前記測定容器に貯留された被処理水の上部における濁度を測定する濁度測定手段とを備え、更に測定された前記被処理水の濃度が予め設定された濁度目標値となるように前記凝集剤の注入量を調整する制御手段を備えることを特徴としている。
【００１０】
また本発明に係る凝集剤注入装置は、被処理水に高分子凝集剤および無機凝集剤を注入して該被処理水に含まれる懸濁物質を沈殿分離するためのものであって、
前記高分子凝集剤および無機凝集剤の注入後における前記被処理水をサンプリングして測定容器内に貯留するサンプリング手段と、この測定容器に貯留した被処理水の静置時間を計測するタイマ手段と、このタイマ手段により計測される前記被処理水の静置時間が第１の設定時間Ｔ１に達したとき、前記測定容器に貯留された被処理水の上部における濁度を、懸濁物質の沈降速度の評価に用いる第１の濁度値Ｋ１として測定すると共に、前記被処理水の静置時間が第２の設定時間Ｔ２（＞Ｔ１）に達したとき、前記測定容器に貯留された被処理水の上部における濁度を該被処理水の清澄度の評価に用いる第２の濁度値Ｋ２として測定する濁度測定手段とを備え、更に前記第１の濃度値Ｋ１が予め設定された第１濁度目標値Ｍ１となるように前記高分子凝集剤の注入量を調整すると共に、前記第２の濃度値Ｋ２が予め設定された第２濁度目標値Ｍ２となるように前記無機凝集剤の注入量を調整する制御手段とを備えることを特徴としている。
【００１１】
特に被処理水の濁度を、その静置時間を異にする時点でそれぞれ計測することで、懸濁物質の沈降速度と被処理水の清澄度とをそれぞれ個別に評価し、これによって高分子凝集剤および無機凝集剤の最適注入量を求め、その注入量をそれぞれ制御することを特徴としている。
【００１２】
【発明の実施の形態】
以下、図面を参照して本発明の実施形態に係る凝集剤の注入方法および凝集剤注入装置について説明する。
図１はこの実施形態に係る凝集剤注入装置を組み込んで構成される水処理設備の概略構成図である。この水処理設備は、概略的には原水槽１に貯められた工業排水等の被処理水を凝集反応槽２に導いて、例えば高分子凝集剤および無機凝集剤からなる２種類の凝集剤を注入（薬注）し、凝集剤が注入された被処理水を固液分離槽３に導いて前記被処理水に含まれる懸濁物質を沈殿分離（固液分離）した後、その上澄み液を処理水槽４に導く如く構成される。
【００１３】
高分子凝集剤は凝集剤タンク５ａに貯留されており、インバータ（ＩＮＶ）６ａにより駆動される薬注ポンプ（Ｐ）７ａを介して上記凝集剤タンク５ａから前記処理水（原水）へと注入される。また無機凝集剤は別の凝集剤タンク５ｂに貯留されており、インバータ（ＩＮＶ）６ｂにより駆動される薬注ポンプ（Ｐ）７ｂを介して上記凝集剤タンク５ｂから前記処理水（原水）へと注入される。これらの各薬注ポンプ７ａ,７ｂ（インバータ６ａ,６ｂ）は、後述する制御部をなす演算処理装置８によりその動作がそれぞれ制御されて、被処理水の流量や水質に応じた量の凝集剤を注入する役割を担う。尚、ここでは原水槽１から凝集反応槽２へと被処理水（原水）を導く際、該被処理水に凝集剤を注入するものとして示してあるが、凝集反応槽２に凝集剤を注入することも勿論可能である。
【００１４】
ところで上述した凝集剤タンク５ａ,５ｂ、インバータ６ａ,６ｂ、薬注ポンプ７ａ,７ｂ、および演算処理装置８を備えて構成される凝集剤注入装置は、更に前記凝集反応槽２に貯留された前記凝集剤注入後の被処理水をサンプリングして所定の測定容器１０に貯留し、その濁度を計測する濁度計測手段を備える。この濁度計測手段は、例えば図２に示すように凝集反応槽２に貯留された被処理水を汲み上げて前記測定容器１０に供給する自吸式ポンプ（注入ポンプ）１１を備えた給水系と、上記測定容器１０に供給されて該測定容器１０からオーバーフローする被処理水を前記凝集反応槽２に戻す循環系とを備える。これらの給水系および循環系には前記演算処理装置（制御部）８によりそれぞれ選択的に開閉制御されるバルブ１２,１３が設けられており、これらのバルブ１２,１３の開閉制御と前記自吸式ポンプ１１の運転制御とを行うことで、前記凝集反応槽２に貯留された被処理水が測定容器１０にサンプリングされる。尚、ポンプ１１が容積式のものである場合にはバルブ１２は不要であり、また測定容器１０を開放系のものとして、サンプリング液をオーバフローさせる構造のものとすれば、バルブ１３も不要となる。
【００１５】
しかして測定容器１０は、例えば０.３〜１.５ｍ程度の深さを有して前記被処理水を２０〜１０００Ｌ、好ましくは３０〜５０Ｌ程度貯留する容積を有するもので、その底部に排水系をなすドレインバルブ１４を備えている。また測定容器１０の内壁面の上部であって、例えば水面から５０〜２００ｍｍ下がった位置には該測定容器１０に貯留された被処理水の上部における濁度を測定する濁度センサ（ＳＳ計）１５が設けられている。この濁度センサ１５は、後述するように測定容器１０に前述した凝集剤注入後の被処理水をサンプリングし、この被処理水を所定時間に亘って静置させたときの該被処理水の濁度、ひいてはその清澄度を計測する役割を担う。尚、上記濁度センサ１５の近傍には、該濁度センサ１５の周囲やそのセンサ面を洗浄する水ジェットノズルやワイパー（図示せず）等からなる洗浄機構１６が設けられている。この洗浄機構１６は、測定容器１０にサンプリングした被処理水の濁度（清澄度）を前記濁度センサ１５を用いて計測し、その後、前記ドレインバルブ１４を開けて被処理水を排水した後に選択的に作動して、前記濁度センサ１５のセンサ面やその周囲を洗浄し、測定容器１０の内部を清浄に保つ役割を担う。
【００１６】
前述した演算処理装置（制御部）８は、測定容器１０にサンプリングされ、上述した濁度センサ１５によって計測される被処理水の濁度（清澄度）に従って前記被処理水に対する凝集剤の注入量の適否を評価し、被処理水の流量やその水質に応じた凝集剤の最適注入量を求めている。そして前述したインバータ６ａ,６ｂの作動をそれぞれ制御して薬注ポンプ７ａ,７ｂを作動させ、これによって前記原水槽１から導かれる原水（被処理水）に対する高分子凝集剤および無機凝集剤の注入量を最適化制御するものとなっている。
【００１７】
ここで前記演算処理装置（制御部）８による凝集剤の注入量制御について、図３に示す概略的な処理手順に従って説明する。図１に示す構成の水処理設備においては、凝集剤を注入した後の被処理水は、前述したバルブ１２,１３をそれぞれ開けた状態で前記自吸式ポンプ（注入ポンプ）１１を作動させることで、凝集反応槽２と測定容器１０との間で常時循環されており、被処理水に含まれる懸濁物質の上記凝集剤による凝集反応が促進されている。尚、この際、前述したドレインバルブ１４が閉じられていることは言うまでもない。
【００１８】
このような水処理設備における被処理水に対する凝集剤の注入による固液分離過程において、上記凝集剤の注入量制御のための処理は、先ず前記自吸式ポンプ（注入ポンプ）１１の作動を停止させ［ステップＳ１］、前述したバルブ１２,１３をそれぞれ閉じることで上述した凝集剤注入後の被処理水（原水）の循環を停止させ、これによって前記凝集反応槽２に供給された被処理水（原水）を前記測定容器１０にサンプリングすることから開始される。そして被処理水の循環の停止に伴い、測定容器１０にサンプリングした被処理水を静置させる。同時に測定容器１０にサンプリングした被処理水の静置開始に伴い、演算処理装置８が備える図示しないタイマーを起動してその静置時間を計測する。
【００１９】
そして上記静置時間が、予め設定した所定時間Ｔ１に達したとき、つまり被処理水が時間Ｔ１に亘って静置されたとき［ステップＳ３］、前記濁度センサ１５を用いて該被処理水の濁度を計測する［ステップＳ４］。また前記静置時間が、上記設定時間よりも長く設定された所定時間Ｔ２に達したとき、つまり被処理水が時間Ｔ２（＞Ｔ１）に亘って静置されたとき［ステップＳ５］、前記濁度センサ１５を用いて該被処理水の濁度を再度計測する［ステップＳ６］。
【００２０】
その後、前述したドレインバルブ１４を開けて測定容器１０にサンプリングした被処理水の全てを排水し［ステップＳ７］、更に前記洗浄機構１６を作動させて前記濁度センサ１５のセンサ面やその周囲を洗浄し、測定容器１０の内部を清浄化する［ステップＳ８］。その後、上記ドレインバルブ１４を閉じた後、前述したバルブ１２,１３をそれぞれ開け［ステップＳ９］、この状態で前記前記自吸式ポンプ（注入ポンプ）１１の運転を再開して［ステップＳ１０］、前記凝集反応槽２と測定容器１０との間で被処理水を循環させながら被処理水の浄化を継続して実行するものとなっている。
【００２１】
さて前記演算処理装置（制御部）８は、濁度センサ１５を用いて前述した静置時間Ｔ１後に前記被処理水の濁度を計測したとき、その濁度値（測定値）Ｋ１を前記被処理水に含まれる懸濁物質の凝集剤の注入により生じたフロックの沈降速度を評価する情報として求めている。即ち、凝集剤を注入した被処理水においては、該被処理水に含まれる懸濁物質が凝集剤に反応して凝集し、固形物であるフロックを形成する。このフロックの大きさや量は、被処理水に含まれる懸濁物質の量（水質）や、この被処理水に注入した凝集剤の量によって変化する。そして上記フロックは、測定容器１０にサンプリングされた被処理水が静置されているので該測定容器１０に静置されている被処理水内を次第に沈降する。
【００２２】
この際、被処理水に注入した凝集剤の量が多い場合には、懸濁物質の凝集、つまりフロックの成長速度が速く、静置されている被処理水中におけるフロックの沈降速度が速くなる。これに対して被処理水に注入された凝集剤の量が不足する場合には、フロックが成長し難く、その成長速度が遅くなる。そしてフロックの成長が遅い分、静置されている被処理水中におけるフロックの沈降速度が遅くなる。そしてフロックの沈降速度が速い程、測定容器１０内に静置されている被処理水の固液分離が速く、その上部の濁度が逸早く低下する。その反面、フロックの沈降速度が遅い場合には、その固液分離の速度も緩やかであり、従って被処理水の上部における濁度が低下するまでに時間が掛かる。これ故、被処理水の静置時間Ｔ１後における該被処理水の濁度を濁度センサ１５により計測すれば、その濁度値（測定値）Ｋ１を、前述したように当該被処理水に含まれる懸濁物質の凝集剤の注入により生じたフロックの沈降速度を評価する情報として求めることが可能となる。
【００２３】
そこで前記演算処理装置（制御部）８においては、濁度センサ１５を用いて静置時間Ｔ１後に計測される前記被処理水の濁度値Ｋ１から前述したフロックの沈降速度を評価している。ちなみにこの種の凝集処理を実行するに際して、被処理水に注入すべき高分子凝集剤の必要注入量（添加量）[ｍｇ／Ｌ]は、測定容器１０（固液分離槽３）の水面積負荷[ｍ／ｈ]と、フロックの沈降速度[ｍ／ｈ]とにより決定される。そして一定の注入率幅（添加率幅）においては、高分子凝集剤の注入率（添加率）[ｍｇ／ｈ]と上記フロックの沈降速度[ｍ／ｈ]とは正の相関関係を有する。また濁度のキャリーオーバーを防止するために必要なフロックの沈降速度の目安は、一般的に前記水面積負荷の２〜５倍である。これ故、仮に被処理水の流量が一定であるとすれば、フロックの沈降速度が或る一定の値を維持するように前記高分子凝集剤の添加率（注入率）を制御すれば、必要最小限の薬剤コストで安定した処理水を得ることが可能となる。
【００２４】
そこで前記演算処理装置（制御部）８では、静置時間Ｔ１後に計測される前記被処理水の濁度値Ｋ１に従い、この濁度値Ｋ１が前述した所定のフロック沈降速度を示す濁度目標値Ｍ１となるように、該高分子凝集剤の最適注入量をフィードバック的に求めている［ステップＳ１１］。そしてこの最適注入量に従って、前述したインバータ６ａの作動をフィードフォワード制御し、薬注ポンプ７ａの作動条件を調整することで被処理水に注入する高分子凝集剤の注入量を調整している［ステップＳ１２］。
【００２５】
尚、被処理水の流量が変動するような場合には、その流量の変動に合わせて上述したフィードバック制御の目標値Ｍ１を変えたり、或いはそのフィードバック制御の入出力関係を補正するフィートフォワード制御を併用することで、静置時間Ｔ１後に計測される被処理水の濁度値Ｋ１に基づく前記インバータ６ａの作動制御の条件を補正するようにすれば良い。
【００２６】
一方、静置時間Ｔ２後に前記濁度センサ１５にて検出される濁度値（計測値）Ｋ２は、被処理水の静置に伴う固液分離が更に進んだ時点での濁度、換言すれば固液分離により生成される上澄み液の清澄度を示している。この上澄み液の清澄度は、処理水に対する目標清澄度（目標濁度）により決定されるもので、無機凝集剤の注入量（添加率）[ｍｇ／Ｌ]に大きく依存する。ちなみに無機凝集剤の添加率[ｍｇ／Ｌ]は、上記処理水の目標清澄度に対して正の相関関係があり、従って所定の目標清澄度（目標濁度値Ｍ２）を得るに必要な無機凝集剤の必要添加率は、上記濁度値（計測値）Ｋ２に基づくフィードバック制御により決定することができる。尚、上記静置時間Ｔ２としては、その水処理設備の仕様にもよるが、例えば２分以上として設定するようにすれば良い。
【００２７】
そこで前記演算処理装置（制御部）８では、静置時間Ｔ２後に計測される前記被処理水の濁度値Ｋ２に従い、この濁度値Ｋ２が上述した処理水の目標清澄度（目標濁度値）Ｍ２となるように、換言すればＫ２とＭ２との偏差が零（０）となるように該高分子凝集剤の最適注入量をフィードバック的に求めている［ステップＳ１３］。そしてこの最適注入量に従って、前述したインバータ６ｂの作動をフィードフォワード制御し、薬注ポンプ７ｂの作動条件を調整することで被処理水に注入する無機凝集剤の注入量を調整している［ステップＳ１４］。
【００２８】
かくして上述した如くして高分子凝集剤および無機凝集剤の最適注入量を求めて被処理水に対する上記高分子凝集剤および無機凝集剤の注入量をそれぞれ最適化する凝集剤の注入方法および凝集剤注入装置によれば、凝集剤の注入後における被処理水をサンプリングし、その被処理水を所定時間に亘って静置させた後の濁度から、フロックの沈降速度を求めて高分子凝集剤の最適注入量をフィードバック的に求め、また処理水の清澄度から無機凝集剤の最適注入量をフィードバック的に求めるので、これらの凝集剤の注入量をそれぞれ最適化してその薬液コストを必要最小限に抑えることが可能となる。
【００２９】
また上述した如くして高分子凝集剤および無機凝集剤の最適注入量をそれぞれ求めるので、被処理水の流量変動やその水質変動に追従させることが容易であり、フィードバックのタイムラグのない（少ない）凝集剤の最適化注入制御を実現することができる。特に有機系と無機系との懸濁物質が入り混じった複数の混合液からなる工業排水等の被処理水を浄化するに適した凝集剤注入制御系を構築することができる。
【００３０】
また前述した構成であれば測定容器１０に組み込んだ１つの濁度センサ１５を有効に活用して、静置時間Ｔ１後の濁度Ｋ１からフロックの沈降速度を評価し、また静置時間Ｔ２後の濁度Ｋ２から固液分離した処理水の上澄み液の清澄度を評価するので、その物理的構成が簡単であり、装置構成の簡素化を図り得る等の効果が奏せられる。また水処理設備の維持管理工数を低減し、簡易にして効率的な運転を実現できる等の利点もある。
【００３１】
尚、本発明は上述した実施形態に限定されるものではない。例えば凝集剤を過剰に注入した場合、これによってその凝集処理効率が却って悪化する場合があるので、例えば凝集剤の注入量に上限値を設定しておくことが望ましい。またここでは高分子凝集剤と無機凝集剤の２種類を注入するものとしてが、その一方だけを注入する場合にも本発明を同様に適用することができる。
【００３２】
また本発明はシックナやクライファイヤ、横流式沈殿池、加圧浮上装置等を用いた凝集処理装置における固液分離装置をに対しても同様に適用することができる。また凝集剤注入後の被処理水をサンプリングする箇所については、原水槽１から固液分離槽３に至る経路のどこであっても良い。その他、本発明はその要旨を逸脱しない範囲で種々変形して実施することができる。
【００３３】
【発明の効果】
以上説明したように本発明によれば、被処理水に高分子凝集剤および無機凝集剤を注入してその懸濁物質を凝集させて固液分離し、上記被処理水を浄化するに際して、被処理水の流量や水質に応じて上記高分子凝集剤および無機凝集剤の注入量を最適化することができるので、その凝集処理の安定化を図りながら薬液コストを抑えることができる。しかも１つの濁度センサを有効に用い、被処理水の静置時間を異ならせて被処理水の濁度を検出するので、フロックの沈降速度およびその上澄み液の清澄度をそれぞれ簡易にして適切に評価することができ、その測定系の構成の簡素化を図ることができる等の実用上多大なる効果が奏せられる。
【図面の簡単な説明】
【図１】本発明の一実施形態に係る凝集剤の注入方法が適用され、且つ凝集剤注入装置を組み込んで構成される水処理設備の概略構成図。
【図２】図１に示す水処理設備に組み込まれた凝集剤注入装置の要部概略構成図。
【図３】図１に示す水処理設備に組み込まれた凝集剤注入装置における凝集剤注入量制御の概略的な流れを示す図。
【符号の説明】
１  原水槽
２  凝集反応槽
３  固液分離槽
４  処理水槽
５ａ,５ｂ  凝集剤タンク
６ａ,６ｂ  インバータ
７ａ,７ｂ  薬注ポンプ
８  演算処理装置（制御部）
１０  測定容器
１１  自吸式ポンプ（注入ポンプ）
１２,１３  バルブ
１５  濁度センサ
１６  洗浄機構
【図１】
0004596108.tif 000002
【図２】
0004596108.tif 000003
【図３】
0004596108.tif 000004